(57)【要約】【課題】省スペースで雨水を有効利用するための十分な貯溜量を確保することができ、併せて都市型洪水の緩和にも貢献する、施工が極めて容易な雨水貯溜配管構造を提供する。【解決手段】宅地内に埋設された配管設備の内部に雨水を貯溜する雨水貯溜配管構造であって、雨水桝１と、雨水桝１に接続される貯溜管路２を備え、上記貯溜管路２が管継手３により分岐された構成とする。貯溜管路２を途中で分岐して新たな貯溜管路２を設け、既設の貯溜管路２だけでなく、分岐された新たな貯溜管路２をも貯溜スペースとして利用することから、雨水利用としての十分な貯溜量を確保することができる。また、貯溜管路２を分岐するために、雨水桝１によりも小さい管継手２を用いることから、地面の掘削量が少なくて済み、施工性が向上する。【選択図】図２
2017031636.tif 000002
【特許請求の範囲】
【請求項１】
宅地内に埋設された配管設備の内部に雨水を貯溜する雨水貯溜配管構造であって、
雨水桝と、雨水桝に接続される貯溜管路を備え、
上記貯溜管路が管継手により分岐されていることを特徴とする雨水貯溜配管構造。
【請求項２】
上記分岐された貯溜管路の末端又は／及び経路途中に、閉塞部材、雨水桝、取水装置、止水桝のいずれか一つ又はそれらを複数組み合わせたものが設けられていることを特徴とする請求項１に記載の雨水貯溜配管構造。
【請求項３】
上記分岐された貯溜管路の末端が、管継手又は雨水桝を介して貯溜管路に接続されていることを特徴とする請求項１に記載の雨水貯溜配管構造。
【発明の詳細な説明】
【技術分野】
【０００１】
本発明は、宅地内に埋設された配管設備の内部に雨水を貯溜し、その貯溜した雨水を植物の水やり等に有効利用できるようにした雨水貯溜配管構造に関するものである。
【背景技術】
【０００２】
近年、宅地内に埋設された配管設備の内部に雨水を貯溜し、その貯溜した雨水を植物の水やり等に有効利用しようとする試みがなされている。
【０００３】
このような事情に鑑みて、本出願人は、雨水桝を起点とした配管設備の内部に雨水を貯溜する雨水貯溜配管構造であって、起点となる雨水桝と、雨水桝に一端が接続された貯溜管路とを備え、貯溜管路の他端は、該雨水桝に接続されているか、又は、閉塞されている雨水貯溜配管構造（特許文献１）や、雨水桝と雨水桝を繋ぐ配管設備の内部に雨水を貯溜する雨水貯溜配管構造であって、上流側と下流側に設置された少なくとも２つ以上の雨水桝と、該雨水桝に接続された、上流側の雨水桝に流入した雨水を下流側の雨水桝に排水するための排水管路と、該雨水桝に接続された、雨水を貯溜するための貯溜管路を備え、貯溜管路と排水管路は、上下方向に重ならない位置に接続されており、且つ、貯溜管路は排水管路よりも低い位置に接続されている雨水貯溜配管構造（特許文献２）などを提案している。
【０００４】
上記特許文献１及び特許文献２の雨水貯溜配管構造は共に、植物の水やり等に利用するための雨水を、必要十分に貯溜することができる優れたものであり、宅地内に埋設された配管設備を有効利用しようとする時代のニーズに合致するものであった。また、宅地内に埋設された配管設備に、雨水を一時的に雨水を貯溜することにより、昨今問題となっている都市型洪水の緩和にも貢献するものであった。
【先行技術文献】
【特許文献】
【０００５】
【特許文献１】特開２０１４−００９４５８号公報
【特許文献２】特開２０１４−０１５８００号公報
【発明の概要】
【発明が解決しようとする課題】
【０００６】
上記のように、上記特許文献１及び特許文献２の雨水貯溜配管構造は、宅地内に埋設された配管設備の内部に、必要十分な雨水を貯溜できる優れたものであるが、次のような問題も残されていた。
即ち、上記特許文献１及び特許文献２の雨水貯溜配管構造は、既設の排水管路を雨水桝によって分岐し、新たな貯溜スペースを確保するものであるが、分岐させる起点となる雨水桝を埋設するためには、地面の掘削や雨水桝の加工作業（接続口を形成するなど）が必要となることから、施工性がそれほど良好なものとは言い難かった。
また、雨水桝は相当な大きさを有し、それを埋設するには大きな埋設スペースが必要であることから、分岐させる起点となる雨水桝を設置（埋設）できる箇所が、住宅の形状、汚水管やその他の埋設設備などの位置関係によって制限されて、施工できる場所が限定されるという問題もあった。
【０００７】
本発明は上記の問題に鑑みてなされたもので、その解決しようとする課題は、省スペースで雨水を有効利用するための十分な貯溜量を確保することができ、併せて都市型洪水の緩和にも貢献する、施工が極めて容易な雨水貯溜配管構造を提供することにある。
【課題を解決するための手段】
【０００８】
上記目的を達成するため、本発明に係る雨水貯溜配管構造は、宅地内に埋設された配管設備の内部に雨水を貯溜する雨水貯溜配管構造であって、雨水桝と、雨水桝に接続される貯溜管路を備え、上記貯溜管路が管継手により分岐されていることを特徴とするものである。
【０００９】
本発明の雨水貯溜配管構造においては、上記分岐された貯溜管路の末端又は／及び経路途中に、閉塞部材、雨水桝、取水装置、止水桝のいずれか一つ又はそれらを複数組み合わせたものが設けられていることが好ましい。また、上記分岐された貯溜管路の末端が、管継手又は雨水桝を介して貯溜管路に接続されている雨水貯溜配管構造も好ましい。
【発明の効果】
【００１０】
本発明の雨水貯溜配管構造は、宅地内に埋設された貯溜管路を途中で分岐して新たな貯溜管路を設け、既設の貯溜管路だけでなく、分岐された新たな貯溜管路をも貯溜スペースとして利用するものである。従って、通常の配管設備に雨水を貯溜するだけの場合と比較すると、雨水利用としての十分な貯溜量を確保することができる。また、貯溜管路を分岐するために、従来の雨水桝に代えて、雨水桝よりも小さい管継手を用いることから、地面の掘削量が少なくて済み、雨水桝の側面に接続口等を設ける必要もなくなる。このように貯溜管路の分岐に管継手を用いると、施工時間が大幅に短縮化され、雨水桝のように地表に臨まないことから、配管のレイアウトの自由度が飛躍的に向上し、住宅の形状、汚水管やその他の埋設設備などの位置関係によって設置（埋設）箇所が制限されることが殆どない。従って、宅地が省スペースであっても、宅地形状が特殊な場合であっても、本発明の雨水貯溜配管構造を実施することができる。また、このような雨水貯溜配管構造は、降雨時に貯溜スペースが空いていれば、その分だけ雨水を排出せずに貯溜することから、昨今問題となっている都市型洪水に緩和にも大いに貢献する。
【００１１】
また、上記分岐された貯溜管路の末端又は／及び経路途中に、閉塞部材、雨水桝、取水装置、止水桝のいずれか一つ又はそれらを複数組み合わせたものが設けられていると、分岐された貯溜管路の末端又は／及び経路途中に設ける部材の種類によって、雨水貯溜配管構造に様々な機能を付与することができる。
【００１２】
一方、上記分岐された貯溜管路の末端が、管継手又は雨水桝を介して貯溜管路に接続されている雨水貯溜配管構造は、分岐された貯溜管路の末端を、再び元の貯溜管路又は新たな貯溜管路に接続して連通させることにより、簡易な施工で大幅に雨水の貯溜量を増やすことができる。
【図面の簡単な説明】
【００１３】
【図１】本発明の一実施形態に係る雨水貯溜配管構造を示す概略斜視図である。
【図２】同配管構造の説明図である。
【図３】同配管構造に用いる雨水桝の断面図である。
【図４】同配管構造に用いる管継手の平面図である。
【図５】同配管構造に用いるエルボ継手の平面図である。
【図６】同配管構造に用いる止水桝の断面図である。
【図７】同配管構造に用いる堰部材の斜視図である。
【図８】同配管構造の管継手による種々の分岐の態様を示す説明図である。
【図９】同配管構造の管継手による種々の分岐の態様を示す説明図である。
【図１０】同配管構造の管継手による種々の分岐の態様を示す説明図である。
【図１１】同配管構造の管継手による種々の分岐の態様を示す説明図である。
【図１２】図１１に示す雨水貯溜配管構造に用いる管継手の平面図である。
【図１３】同配管構造の管継手による種々の分岐の態様を示す説明図である。
【図１４】図１３に示す雨水貯溜配管構造に用いる管継手の平面図である。
【図１５】本発明の他の実施形態に係る雨水貯溜配管構造の説明図である。
【図１６】同配管構造に用いる止水桝の断面図であって、雨水を貯溜する態様を示すものである。
【図１７】同配管構造に用いる止水桝の断面図であって、雨水を排出する態様を示すものである。
【発明を実施するための形態】
【００１４】
以下、図面を参照して本発明の具体的な実施形態を詳述する。
【００１５】
図１に示す本発明の雨水貯溜配管構造は、宅地内に埋設された配管設備の内部に雨水を貯溜し、その貯溜した雨水を植物の水やり等に有効利用できるようにすると共に、併せて、昨今問題となっている都市型洪水の被害を緩和しようとするものである。
【００１６】
この雨水貯溜配管構造においては、図１に示すように、宅地内の家屋の屋根６に降った雨水は、屋根６の周囲に設けられた軒樋７に集水されて竪樋８を流下し、宅地内に埋設された雨水桝１及び貯溜管路２に流入して貯溜される。また、次に述べるように、雨水桝１の蓋体１ｂには、複数の浸透孔１０ｂが穿孔されているため、宅地内の庭に降った雨水もその浸透孔１０ｂを通して雨水桝１に流入して貯溜されるようになっている。本実施形態の雨水貯溜配管構造は、配管設備が宅地内で完結している例を示すが、後述する図１５に示す実施形態のように、公共桝９に近い雨水桝１と該公共桝９とを排水管路で接続し、宅地内の処理能力を超えた雨水を公共の排水管１１に排出するようにしてもよい。
なお、本実施形態のように、配管設備が宅地内で完結している場合、貯溜管路２に流れ勾配を設ける必要はない（流れ勾配が０）が、貯溜管路２に流れ勾配を設けてもよいことは言うまでもない。その場合、後述する雨水を取水する取水装置Ｐが設けられている箇所が一番低くなるように、取水装置Ｐが設けられている箇所に向って流れ勾配を設けることが好ましい。
【００１７】
上記宅地内に埋設される雨水桝１は、耐久性・施工性に優れるポリプロピレンや塩化ビニル樹脂などの合成樹脂で成形されたものであって、図３に示すように、その上端が開口し、下端が閉口したバケツ型をしている。この雨水桝１の上端には、断面形状が略凹型の蓋受部１ａが外側に向って突設されており、その蓋受部１ａに蓋体１ｂが載置されている。この蓋体１ｂには、複数の浸透孔１０ｂが穿孔されており、宅地内に降った雨水が雨水桝１の内部に流入するようになっている。この浸透孔１０ｂには、貯溜管路２内にゴミや砂などの異物が混入しないように、或いは、蚊の発生を抑えるためにフィルター（不図示）を設けることが好ましい。
【００１８】
上記雨水桝１の周面には、ホールソーなどを用いて接続口（不図示）が設けられており、この接続口に貯溜管路２が接続されるようになっている。雨水桝１は、貯溜管路２が配設されている箇所によって、接続口を設ける箇所が種々変化するため、それらに柔軟に対応できるように、予め決まった位置に接続口が形成されている雨水桝１を用いるのではなく、本実施形態のように、施工現場にて、任意の箇所に接続口が設けられる雨水桝１が好ましいが、予め決まった位置に接続口が形成されている雨水桝１を用いても構わないことは言うまでもない。
なお、雨水桝１を埋設する場所に泥砂が多い場合は、浸透孔１０ｂが穿孔されていない蓋体１ｂを用いればよい。
【００１９】
上記雨水桝１に接続される貯溜管路２は、通常の塩化ビニル樹脂製の円筒体であって、竪樋８を流下してきた雨水や雨水桝１の浸透孔１０ｂから流入してきた雨水は、主にこの貯溜管路２の内部に貯溜される。この貯溜管路２は、図１、図２に示すように、その経路途中を管継手３により分岐することで、新たな貯溜管路２が設けられている。以下、宅地内に元々埋設されている貯溜管路２のことを貯溜本管２Ａといい、管継手３により分岐された新たな貯溜管路２のことを貯溜枝管２Ｂということにより、区別することがある。このように、本発明は、宅地内に埋設された既設の貯溜本管２Ａを、管継手３により分岐して新たな貯溜枝管２Ｂを設けることにより、既設の配管設備（貯溜本管２Ａ）に雨水を貯溜するだけの場合と比較すると、雨水利用としての十分な貯溜量を確保することができるようになる。
【００２０】
上記貯溜管路２のパイプ径を太くすると、雨水の貯溜量を増やすことができるのは言うまでもなく、貯溜管路２として断面楕円形や卵形状のパイプを使用すると、掃流性が向上し、貯溜管路２の内部の泥などを排出し易くできるといった効果を奏する。
【００２１】
次に、上記貯溜管路２を分岐する管継手３は、図４に示すように、貯溜本管２Ａを接続する接続口３ａ，３ａと、貯溜枝管２Ｂを接続する突出口３ｂを有する合成樹脂製のＴ型継手であって、このような管継手３を用いて貯溜本管２Ａを分岐すると、貯溜本管２Ａは略９０°の角度で分岐されて、新たな貯溜枝管２Ｂが設けられる。
【００２２】
上記のように、管継手３により分岐された貯溜枝管２Ｂを、図２等に示すように、さらに管継手３によって分岐することによって貯溜枝管２Ｂを増設し、より雨水の貯溜量を増やすこともできる。また、埋設する宅地内のスペース形状の関係で、貯溜枝管２Ｂを分岐するのではなく、その取回しを変更したい場合には、図５に示すようなエルボ継手４を用いればよい。このように、ここでいう分岐には、折り曲げたりして単に貯溜管路２の取回しを変更するだけの態様は含まれず、少なくとも３方に貯溜管路２を接続する接続口を有する管継手３を用いて、新たに貯溜枝管２Ｂを設けることをいう。
【００２３】
図５に示すエルボ継手４は、貯溜枝管２Ｂを接続する挿入口４ａが略９０°間隔で２つ形成された、所謂９０°エルボであって、このエルボ継手４を用いることにより、図２等に示すように、貯溜枝管２Ｂを略９０°屈曲させることができる。また、この他にも、図示はしないが、例えば４５°エルボなど、埋設する宅地内のスペース形状に合わせて、任意の角度のエルボ継手４を用いればよい。
【００２４】
上記のように、管継手３により分岐された貯溜枝管２Ｂの末端には、閉塞部材５が取付けられている。この閉塞部材５は、貯溜枝管２Ｂの末端開口を閉塞するための合成樹脂製キャップであって、貯溜枝管２Ｂの開口を確実に閉塞できるのであれば、形態は特に限定されるものではなく、例えばゴム栓等であっても構わない。ただし、このように貯溜枝管２Ｂの末端が閉塞されていると、雨水が流入し難くなるため、エア抜き手段を講じることが必要となる。
【００２５】
また、貯溜枝管２Ｂの末端には、上記のような閉塞部材５だけでなく、雨水桝１、止水桝１０、取水装置Ｐなどを設けることもできる。雨水桝１は前述したものと同様のものを用いるため、その構成の説明は省略する。止水桝１０は、文字通り雨水を止水するための桝であって、本実施形態では、前述した雨水桝１の内部に堰部材１００を設けたものを用いている。
【００２６】
上記堰部材１００は、図６、図７に示すように、上方に向けられる第一の口１００ａと、下方に向けられる第二の口１００ｂと、止水桝１０の貫通孔１０ａに接続される第三の口１００ｃからなる筒状体であって、通常、この第二の口１００ｂは止水栓１００ｄにより閉塞されている。このような堰部材１００を設けると、貯溜管路２から止水桝１０に流入してきた雨水は、堰部材１００により堰止められて、貯溜管路２の内部に雨水が貯溜されていく。そして、貯溜管路２内部に貯溜された雨水の水位が、第一の口１００ａまで達すると、第一の口１００ａから越流するようになっている。本実施形態のように、宅地内の配管設備が公共の排水管１１に接続されていない場合は、止水桝１０の周面に複数の孔を穿孔し、越流した雨水が徐々に地中に浸透するような配慮をすることが好ましい。
なお、堰部材１００には下方に向けられる第二の口１００ｂを有しない、所謂９０°エルボを用いることもでき、そのような９０°エルボを堰部材１００として用いた場合は、９０°エルボを貯溜管路２の軸線を中心に回転させることで、雨水を堰止めたり排出したりすることができる。
【００２７】
また、上記堰部材１００の壁面や止水栓１００ｄにオリフィスを設けることにより、貯溜管路２に貯溜した雨水を徐々に流出させる流出抑制機能を付与することもできる。このように堰部材１００や止水栓１００ｄにオリフィスを設けると、貯溜管路２に貯溜された雨水は、オリフィスより徐々に流出し、一定時間の経過後になくなるため、都市型洪水の緩和に貢献することができる。また、止水桝１０の堰部材１００に、上記のようなオリフィスが設けられた止水栓１００ｄとオリフィスが設けられていない止水栓１００ｄの双方を取付けておくと、容易にその機能を変更することができるようにもなる。即ち、小雨の際は、オリフィスが設けられていない止水栓１００ｄを用いて雨水を貯溜管路２内に貯溜するようにし、反対に豪雨の際は、オリフィスが設けられた止水栓１００ｄを用いて流出抑制機能を付与することにより、都市型洪水の緩和に貢献することができる。一方、堰部材１００の壁面にオリフィスを設けた場合は、オリフィスが設けられていない堰部材１００に取り替えるか、或いは、堰部材１００の壁面のオリフィスを栓等で塞ぐことにより、上記と同様の貯溜と流出抑制の機能を容易に変更することができる。また、堰部材１００の壁面のオリフィスの高さ位置を変更すると、貯溜された雨水の一部だけを流出させ、オリフィスの高さ位置まで達しない残りの雨水を貯溜することもできる。即ち、オリフィスの高さ位置が、貯溜管路２の管底よりも低いと、貯溜管路２内の全ての雨水が流出し、オリフィスの高さ位置が、貯溜管路２の管底よりも高いと、管底からオリフィスの高さ位置まで雨水が貯溜されることになる。このようにオリフィスの高さ位置を変更すると、一つの堰部材１００で、貯溜機能と流出抑制機能の双方を付与することができる。
【００２８】
また、本実施形態の取水装置Ｐは、図２に示すように、貯溜管路２の途中に埋設された雨水桝１の内部から雨水を取水するようにしている。即ち、取水手段として取水装置Ｐに接続された取水管（不図示）が上方から雨水桝１の内部に挿入されており、取水装置Ｐを駆動すると、貯溜管路２内の雨水が取水管を通じて外部（地表）へ取水されるようになっている。この取水装置Ｐは、貯溜管路２内に貯溜された雨水を、外部へ取水できるのであれば、特に形態は限定されるものではなく、手動の取水装置Ｐであっても電動の取水装置Ｐであってもよい。このように貯溜管路２の内部に貯溜した雨水を取水装置Ｐにより取水することにより、植物の水やり等に利用することができる。
【００２９】
上記のように、取水装置Ｐは、必ずしも貯溜枝管２Ｂの末端に設ける必要があるものではなく、取水し易い場所に設ければよいものであり、上記のように、貯溜管路２の経路途中の雨水桝１に設けてもよい。また、貯溜管路２の経路途中に取水装置Ｐを設け、貯溜枝管２Ｂの末端に閉塞部材５、雨水桝１、止水桝１０のいずれか又はそれらを複数組み合わせたものを設けてもよい。
【００３０】
このように、本発明の雨水貯溜配管構造は、例えば図２に示すように、管継手３により分岐された貯溜枝管２Ｂの末端には、雨水を流入（例えば雨水桝１の蓋体１ｂの浸透孔１０ｂや竪樋８からの雨水の流入）させたり、流出（公共桝９や公共の排水管１１に接続されたり、浸透機能を有する雨水桝１に接続されての流出）させたりする機能を有する部材は一切接続されておらず、貯溜枝管２Ｂの末端は、閉塞部材５により閉塞されているか、或いは、浸透（流出）機能を一切有さない雨水桝１に接続されることになる。ここで浸透機能を有する雨水桝１とは、その周面に雨水を地中に浸透させる孔が複数穿孔された浸透桝のことをいい、反対に、浸透機能を一切有さない雨水桝１とは、周面に雨水を地中に浸透させる孔が穿孔されていない雨水桝１のことをいう。この浸透機能を有さない雨水桝１には、周面に雨水を地中に浸透させる孔が穿孔されておらず、且つ、浸透孔１０ｂが一切穿孔されていない蓋体１ｂが載置された雨水桝１も含まれ、このような雨水桝１に、貯溜枝管２Ｂの末端を接続すると共に取水装置Ｐを設けて、取水するようにしてもよい。
【００３１】
次に、図８〜図１４に沿って、管継手３により貯溜本管２Ａを分岐する種々の態様を説明する。
【００３２】
図８は、管継手３（Ｔ型継手）により貯溜本管２Ａの経路途中を分岐し、新たな貯溜枝管２Ｂを設けたものである。そして、貯溜枝管２Ｂをエルボ継手４（９０°エルボ）により屈曲させて、その末端に閉塞部材５を取付けている。
【００３３】
図９は、管継手３（Ｔ型継手）により貯溜本管２Ａの経路途中を分岐して貯溜枝管２Ｂを設け、さらにその貯溜枝管２Ｂを管継手３（Ｔ型継手）により分岐すると共に、一方の貯溜枝管２Ｂの末端には閉塞部材５を取付け、もう一方の貯溜枝管２Ｂは、エルボ継手４（９０°エルボ）により屈曲されて、末端に閉塞部材５が取付けられている。
【００３４】
図１０は、管継手３（Ｔ型継手）により貯溜本管２Ａの経路途中を分岐して貯溜枝管２Ｂを設け、その貯溜枝管２Ｂをエルボ継手４（９０°エルボ）により屈曲させ、屈曲させた貯溜枝管２Ｂを、さらに管継手３（Ｔ型継手）によって分岐し、一方の貯溜枝管２Ｂの末端には閉塞部材５を取付け、もう一方の貯溜枝管２Ｂをエルボ継手４（９０°エルボ）により屈曲させて、末端に閉塞部材５を取付けたものである。
【００３５】
図１１は、貯溜本管２Ａの経路途中を図１２に示す管継手３０により分岐したものである。この管継手３０は、貯溜枝管２Ｂを接続する突出口３ｂが、斜め略３０°の角度で円筒から突設されたものであり、エルボ継手４も、上記のような９０°エルボではなく、略３０°エルボが用いられている。このような管継手３０とエルボ継手４を用いることにより、分岐された貯溜枝管２Ｂと、貯溜本管２Ａとを平行に配設できるようになっている。また、この管継手３０は、貯溜管路２に流れ勾配（図１１では左方向から右方向に向けての流れ勾配）が設けられている場合などにも、雨水の流れが急激に変わることがなくスムーズに貯溜枝管２Ｂに流入するため好適に用いられる。
なお、上記のような３０°エルボの他にも、２２．５°エルボや４５°エルボなども、管継手３０やエルボ継手４として好適に用いられる。
【００３６】
図１３は、貯溜本管２Ａの経路途中を図１４に示す管継手３１により分岐したものである。この管継手３１は、貯溜本管２Ａを接続する２つの接続口３ａ，３ａが形成されていると共に、貯溜枝管２Ｂを接続する突出口３ｂも２つ形成された略十字型の管継手３１であって、この管継手３１の突出口３ｂ，３ｂに２本の貯溜枝管２Ｂ，２Ｂが接続されている。そして、２本の貯溜枝管２Ｂ，２Ｂは、エルボ継手４（９０°エルボ）により屈曲されて、末端に閉塞部材５，５が取付けられている。
【００３７】
以上、図８〜図１４に示すように、管継手３，３０，３１により貯溜管路２を分岐する種々の態様を説明してきたが、貯溜管路２の分岐はこれらに限定されるものではなく、さらにこれらを組み合わせて貯溜管路２（貯溜本管２Ａ）を分岐してもよい。このように貯溜管路２を管継手３によって分岐することにより、雨水の貯溜量を増やすことができるだけでなく、様々な宅地内の埋設するスペース形状に合わせて、貯溜管路２を増設することが可能となる。従って、宅地内の貯溜管路２を埋設するスペースが狭小であったり、住宅の形状、汚水管やその他の埋設設備などの位置関係が複雑であったとしても、上記を組み合わせることで貯溜管路２を拡大することが可能となり、植物の水やり等に必要な十分量の雨水を貯溜することができる。それに加えて、一時的に雨水を貯溜することにより、昨今問題となっている都市型洪水に緩和にも大いに貢献することもできる。しかも、貯溜管路２（貯溜本管２Ａ）を分岐する管継手３（管継手３０、管継手３１）は、雨水桝１と比較すると、その体積が遥かに小さいことから、施工の際の地面の掘削量が少なくて済み、施工が極めて容易となると共に、施工時間の短縮化も図られる。また、雨水桝１のように、管継手３は地表に臨むことがないため、美観を損ねる心配もない。
【００３８】
図１５は本発明の他の実施形態に係る雨水貯溜配管構造の説明図、図１６は同配管構造に用いる止水桝の断面図であって、雨水を貯溜する態様を示し、図１７は同配管構造に用いる止水桝の断面図であって、雨水を排出する態様を示すものである。
【００３９】
本実施形態の雨水貯溜配管構造は、前述した実施形態の雨水貯溜配管構造と同様に、雨水桝１と、雨水桝１に接続される貯溜管路２を備えたものであり、図１５に示すように、貯溜管路２が管継手３により分岐されて、その分岐された貯溜管路２（貯溜枝管２Ｂ）の末端が、管継手３又は雨水桝１を介して元の貯溜管路２（貯溜本管２Ａ）に接続されたものである。
【００４０】
これをもう少し詳述すると、図１５に示すように、宅地内に埋設された左側の雨水桝１に接続された貯溜管路２（貯溜本管２Ａ）は、その経路途中で管継手３により分岐されて、新たに貯溜枝管２Ｂが設けられている。この左側の貯溜枝管２Ｂは、２つのエルボ継手４により折り曲げられて、その末端が、雨水桝１を介して元の貯溜本管２Ａに接続されている。また、右側の貯溜本管２Ａも、管継手３により分岐されて、新たな貯溜枝管２Ｂが設けられており、この貯溜枝管２Ｂは、２つのエルボ継手４によって折り曲げられて、その末端が、管継手３を介して元の貯溜本管２Ａに接続されている。この右側の貯溜本管２Ａは、その下流側で、管継手３０により再び分岐されて、新たな貯溜枝管２Ｂが設けられている。このような左側の貯溜管路２と右側の貯溜管路２は、最終的に一つの雨水桝１に接続されて１本の貯溜管路２となり、取水装置Ｐが設けられた止水桝１０に接続されている。そして、この止水桝１０は、公共桝９を介して公共の排水管１１に接続されている。
なお、本実施形態では、分岐された貯溜枝管２Ｂ（図１５中では左側の貯溜枝管２Ｂ）の末端を、再び元の貯溜本管２Ａ（図１５中では左側の貯溜本管２Ａ）に接続しているが、分岐された貯溜枝管２Ｂを別の貯溜本管２Ａ（図１５中では右側の貯溜本管２Ａ）に接続にして、左側の貯溜本管２Ａと右側の貯溜本管２Ａとを連通させることもできる。
【００４１】
前述した実施形態の雨水貯溜配管構造とは異なり、本実施形態の雨水貯溜配管構造は、上記のように、宅地内に埋設された配管設備が、公共桝９を介して公共の排水管１１に接続されていることから、貯溜管路２には、１／１００〜３／１００程度の流れ勾配（図中では上側の雨水桝１から公共桝９にかけて）が設けられている。このように宅地内に埋設された配管設備が公共の排水管１１と接続されていると、貯溜管路２の想定した貯溜量を超えたとしても、図１６に示すように、超過分の雨水は止水桝１０の堰部材１００の第一の口１００ａより越流し、その越流した雨水は、宅地外の公共桝９を介して、公共の排水管１１に流出するため、貯溜管路２が貯溜された雨水によってパンクすることがない。
なお、本実施形態のように、宅地内に埋設された配管設備が宅地内で完了せずに、公共の排水管１１に接続されている場合においても、必ずしも貯溜管路２に流れ勾配を設ける必要はない。このように貯溜管路２に流れ勾配を設けない場合は、止水桝１０より下流側（止水桝１０を挟んで貯溜管路２とは反対側）の排水管路に、下流側に向って１／１００〜３／１００程度の流れ勾配を設ければよい。
【００４２】
また、貯溜管路２の内部をメンテナンスする際は、図１７に示すように、止水桝１０に設けられた堰部材１００の第二の口１００ｂを閉塞している止水栓１００ｄを取外すと、貯溜管路２の内部に貯溜された雨水が、一気に止水桝１０より流出して公共の排水管１１に排出されるため、容易にメンテナンスを行うことができる。
本実施形態の雨水貯溜配管構造のその他の構成は、前述した図１〜図１４に示す雨水貯溜配管構造と同様であるため、同一部材に同一符号を附して説明を省略する。
【００４３】
以上のような構成の雨水貯溜配管構造は、分岐された貯溜枝管２Ｂの末端を、管継手３や雨水桝１を介して、再び元の貯溜管路２（貯溜本管２Ａ）に接続することにより、より一層の雨水貯溜量の増加を図ることができる。このような構造は、特に宅地内に埋設された貯溜管路２に流れ勾配が設けられている場合に、好適に施工される。
【符号の説明】
【００４４】
１    雨水桝
１ａ  蓋受部
１ｂ  蓋体
１０ｂ  浸透孔
２    貯溜管路
２Ａ  貯溜本管
２Ｂ  貯溜枝管
３，３０，３１  管継手
３ａ  接続口
３ｂ  突出口
４    エルボ継手
４ａ  挿入口
５    閉塞部材
６    家屋の屋根
７    軒樋
８    竪樋
９    公共桝
１０  止水桝
１０ａ  貫通孔
１００  堰部材
１１  公共の排水管
【図１】
2017031636.tif 000003
【図２】
2017031636.tif 000004
【図３】
2017031636.tif 000005
【図４】
2017031636.tif 000006
【図５】
2017031636.tif 000007
【図６】
2017031636.tif 000008
【図７】
2017031636.tif 000009
【図８】
2017031636.tif 000010
【図９】
2017031636.tif 000011
【図１０】
2017031636.tif 000012
【図１１】
2017031636.tif 000013
【図１２】
2017031636.tif 000014
【図１３】
2017031636.tif 000015
【図１４】
2017031636.tif 000016
【図１５】
2017031636.tif 000017
【図１６】
2017031636.tif 000018
【図１７】
2017031636.tif 000019